【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】  重合条件下において、オレフィン及び／又はオレフィンと少なくとも１種又はそれ以上の他のオレフィンを、遷移金属成分及び助触媒成分を含むメタロセン触媒、及び重合媒体中の静電荷を減少させるのに充分な量で存在する、式
Ｒ1−Ｏ（−Ｒ2−Ｏ）m−Ｒ3
（式中、ｍは０〜３０であり；Ｒ1、Ｒ2及びＲ3 は、独立して、炭素原子１〜３０個及び本明細書中で定義した元素周期表の第１３族、第１４族、第１５族、第１６族及び第１７族から選ばれた元素の０〜３０個のヘテロ原子又はそれらの混合物を含み、且つ更にＲ1、Ｒ2及び／又はＲ3は結合して、環又は多環構造の一部を形成できる）
を有する、少なくとも１個の炭素−酸素−炭素結合（Ｃ−Ｏ−Ｃ）を含む少なくとも１種のエーテルと接触させることを含んでなるオレフィン及び／又はオレフィンと少なくとも１種又はそれ以上の他のオレフィンの重合方法。
【請求項２】  前記遷移金属成分の金属が、明細書中に定義した元素周期表の第４族、第５族、第６族、第７族、第８族、第９族及び第１０族から選ばれた少なくとも１種の金属を含む請求項１に記載の方法。
【請求項３】  前記金属がチタン、ジルコニウム及びそれらの混合物からなる群から選ばれる請求項２に記載の方法。
【請求項４】  前記メタロセン触媒が担体上に担持されている請求項１に記載の方法。
【請求項５】  重合媒体にハロゲン化炭化水素を添加することを更に含んでなる請求項１に記載の方法。
【請求項６】  前記の少なくとも１種のエーテルが、テトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド及びテトラヒドロピランからなる群から選ばれる請求項１に記載の方法。
【請求項７】  エーテル対メタロセン触媒の遷移金属成分のモル比０．０１：１〜１００：１で前記エーテルを添加する請求項１に記載の方法。
【請求項８】  重合媒体中、遷移金属成分及び助触媒成分を含むメタロセン触媒の存在下におけるオレフィン及び／又はオレフィンと少なくとも１種又はそれ以上の他のオレフィンの重合において発生する静電荷を減少させる方法であって、式
Ｒ1−Ｏ（−Ｒ2−Ｏ）m−Ｒ3
（式中、ｍは０〜３０であり；Ｒ1、Ｒ2及びＲ3 は、独立して、炭素原子１〜３０個及び本明細書中で定義した元素周期表の第１３族、第１４族、第１５族、第１６族及び第１７族から選ばれた元素の０〜３０個のヘテロ原子又はそれらの混合物を含み、且つ更にＲ1、Ｒ2及び／又はＲ3は結合して、環又は多環構造の一部を形成できる）
を有する、少なくとも１個の炭素−酸素−炭素結合（Ｃ−Ｏ−Ｃ）を含む少なくとも１種のエーテルを、重合媒体中の静電荷を減少させるのに充分な量で重合媒体中に投入することを含んでなる方法。
【請求項９】  前記遷移金属成分の金属が、明細書中に定義した元素周期表の第４族、第５族、第６族、第７族、第８族、第９族及び第１０族から選ばれた少なくとも１種の金属からなる請求項８に記載の方法。
【請求項１０】  前記金属がチタン、ジルコニウム及びそれらの混合物からなる群から選ばれる請求項９に記載の方法。
【請求項１１】  前記メタロセン触媒が担体上に担持されている請求項８に記載の方法。
【請求項１２】  重合媒体にハロゲン化炭化水素を添加することを更に含んでなる請求項８に記載の方法。
【請求項１３】  前記の、少なくとも１種のエーテルが、テトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド及びテトラヒドロピランからなる群から選ばれる請求項８に記載の方法。
【請求項１４】  エーテル対メタロセン触媒の遷移金属成分のモル比０．０１：１〜１００：１で前記エーテルを添加する請求項８に記載の方法。
【手続補正２】
【補正対象書類名】明細書
【補正対象項目名】００６５
【補正方法】変更
【補正の内容】
【００６５】
本明細書中に記載した本発明の形態は単に説明的なものであって、本発明の範囲を限定するものではないことをはっきりと理解されたい。本発明は、特許請求の範囲内の全ての変形を含む。
以下、本発明の態様を記載する。
１．重合条件下において、オレフィン及び／又はオレフィンと少なくとも１種又はそれ以上の他のオレフィンを、遷移金属成分及び助触媒成分を含むメタロセン触媒、及び重合媒体中の静電荷を減少させるのに充分な量で存在する、式
Ｒ1−Ｏ（−Ｒ2−Ｏ）m−Ｒ3
（式中、ｍは０〜３０であり；Ｒ1、Ｒ2及びＲ3 は、独立して、炭素原子１〜３０個及び本明細書中で定義した元素周期表の第１３族、第１４族、第１５族、第１６族及び第１７族から選ばれた元素の０〜３０個のヘテロ原子又はそれらの混合物を含み、且つ更にＲ1、Ｒ2及び／又はＲ3は結合して、環又は多環構造の一部を形成できる）
を有する、少なくとも１個の炭素−酸素−炭素結合（Ｃ−Ｏ−Ｃ）を含む少なくとも１種のエーテルと接触させることを含んでなるオレフィン及び／又はオレフィンと少なくとも１種又はそれ以上の他のオレフィンの重合方法。
２．前記遷移金属成分の金属が、明細書中に定義した元素周期表の第４族、第５族、第６族、第７族、第８族、第９族及び第１０族から選ばれた少なくとも１種の金属を含む態様１に記載の方法。
３．前記金属が、チタン、ジルコニウム、ハフニウム、バナジウム及びクロムからなる群から選ばれる態様２に記載の方法。
４．前記金属がチタン、ジルコニウム及びそれらの混合物からなる群から選ばれる態様３に記載の方法。
５．前記メタロセン触媒が担体上に担持されている態様１に記載の方法。
６．前記担体が、シリカ、アルミナ、塩化マグネシウム及びそれらの混合物からなる群から選ばれる態様５に記載の方法。
７．重合媒体にハロゲン化炭化水素を添加することを更に含んでなる態様１に記載の方法。
８．前記ハロゲン化炭化水素が、ジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選ばれる態様７に記載の方法。
９．前記ハロゲン化炭化水素がクロロホルムである態様８に記載の方法。
１０．前記の少なくとも１種のエーテルが、テトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド及びテトラヒドロピランからなる群から選ばれる態様１に記載の方法。
１１．前記エーテルが、テトラヒドロフラン、ジエチルエーテル、ジプロピルエーテル、ジイソプロピルエーテル、ｔｅｒｔ−ブチルメチルエール及びテトラヒドロピランからなる群から選ばれる態様１０に記載の方法。
１２．エーテル対メタロセン触媒の遷移金属成分のモル比約０．０１：１〜約１００：１で前記エーテルを添加する態様１に記載の方法。
１３．エーテル対メタロセン触媒の遷移金属成分のモル比が約０．１：１〜約５０：１の範囲である態様１２に記載の方法。
１４．前記重合媒体が気相である態様１に記載の方法。
１５．前記重合媒体がスラリー相である態様１に記載の方法。
１６．前記オレフィンがエチレンであり、且つ前記の、少なくとも１種又はそれ以上の他のオレフィンが炭素数３〜１６のオレフィンからなる群から選ばれる態様１に記載の方法。
１７．前記の少なくとも１種又はそれ以上の他のオレフィンが１−オクテン、１−ヘキセン、４−メチルペンタ−１−エン、１−ペンテン、１−ブテン及びプロピレンからなる群から選ばれる態様１６に記載の方法。
１８．エチレンと少なくとも１種又はそれ以上のオレフィンとの重合によって得られるインターポリマーが、該インターポリマーの少なくとも約５０重量％の量でエチレンを含む態様１６に記載の方法。
１９．重合媒体中、遷移金属成分及び助触媒成分を含むメタロセン触媒の存在下におけるオレフィン及び／又はオレフィンと少なくとも１種又はそれ以上の他のオレフィンの重合において発生する静電荷を減少させる方法であって、式
Ｒ1−Ｏ（−Ｒ2−Ｏ）m−Ｒ3
（式中、ｍは０〜３０であり；Ｒ1、Ｒ2及びＲ3 は、独立して、炭素原子１〜３０個及び本明細書中で定義した元素周期表の第１３族、第１４族、第１５族、第１６族及び第１７族から選ばれた元素の０〜３０個のヘテロ原子又はそれらの混合物を含み、且つ更にＲ1、Ｒ2及び／又はＲ3は結合して、環又は多環構造の一部を形成できる）
を有する、少なくとも１個の炭素−酸素−炭素結合（Ｃ−Ｏ−Ｃ）を含む少なくとも１種のエーテルを、重合媒体中の静電荷を減少させるのに充分な量で重合媒体中に投入することを含んでなる方法。
２０．前記遷移金属成分の金属が、明細書中に定義した元素周期表の第４族、第５族、第６族、第７族、第８族、第９族及び第１０族から選ばれた少なくとも１種の金属からなる態様１９に記載の方法。
２１．前記金属が、チタン、ジルコニウム、ハフニウム、バナジウム及びクロムからなる群から選ばれる態様２０に記載の方法。
２２．前記金属がチタン、ジルコニウム及びそれらの混合物からなる群から選ばれる態様２１に記載の方法。
２３．前記メタロセン触媒が担体上に担持されている態様１９に記載の方法。
２４．前記担体が、シリカ、アルミナ、塩化マグネシウム及びそれらの混合物からなる群から選ばれる態様２３に記載の方法。
２５．重合媒体にハロゲン化炭化水素を添加することを更に含んでなる態様１９に記載の方法。
２６．前記ハロゲン化炭化水素が、ジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選ばれる態様２５に記載の方法。
２７．前記ハロゲン化炭化水素がクロロホルムである態様２６に記載の方法。
２８．前記の、少なくとも１種のエーテルが、テトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド及びテトラヒドロピランからなる群から選ばれる態様１９に記載の方法。
２９．前記エーテルが、テトラヒドロフラン、ジエチルエーテル、ジプロピルエーテル、ジイソプロピルエーテル、ｔｅｒｔ−ブチルメチルエール及びテトラヒドロピランからなる群から選ばれる態様２８に記載の方法。
３０．エーテル対メタロセン触媒の遷移金属成分のモル比約０．０１：１〜約１００：１で前記エーテルを添加する態様１９に記載の方法。
３１．エーテル対メタロセン触媒の遷移金属成分のモル比が約０．１：１〜約５０：１の範囲である態様３０に記載の方法。
３２．前記重合媒体が気相である態様１９に記載の方法。
３３．前記重合媒体がスラリー相である態様１９に記載の方法。
３４．前記オレフィンがエチレンであり、且つ前記の、少なくとも１種又はそれ以上の他のオレフィンが炭素数３〜１６のオレフィンからなる群から選ばれる態様１９に記載の方法。
３５．前記の、少なくとも１種又はそれ以上の他のオレフィンが１−オクテン、１−ヘキセン、４−メチルペンタ−１−エン、１−ペンテン、１−ブテン及びプロピレンからなる群から選ばれる態様３４に記載の方法。
３６．エチレンと少なくとも１種又はそれ以上のオレフィンとの重合によって得られるインターポリマーが、インターポリマーの少なくとも約５０重量％の量でエチレンを含む態様３４に記載の方法。
３７．態様１に従って製造されたポリオレフィンから二次加工されたフィルム。
３８．態様１に従って製造されたポリオレフィンから二次加工された製品。